(57)【特許請求の範囲】
【請求項１】
蓋部と、レンズ鏡筒のアクセサリ取付け部に取付けられる円環状部分とを有し、該円環状部分の前記アクセサリ取付け部側の側縁部に切欠きが形成されているアクセサリ本体と、
前記アクセサリ本体の円環状部分の内側に組付け保持され、前記切欠きを介して外方に突出する方向に付勢されている一対のつまみ部を有するとともに、該つまみ部の一部に設けた係合爪部を前記アクセサリ取付け部に径方向内側から押付けることにより前記アクセサリ本体を前記アクセサリ取り付け部に固定する環状の弾性部材と、
前記円環状部分の切欠きの一部に、該切欠き内に臨むように突設した係止用凸部と、
前記蓋部を含む面上の、前記係止用凸部と対向した位置に切欠きを形成した型抜き用切欠き部とを設け、
前記弾性部材は、該弾性部材を前記アクセサリ本体へ組み付ける際に前記係止用凸部に係合して通過させるための切欠き溝を、前記弾性部材の前記アクセサリ本体への組立状態で前記つまみ部の前記係止用凸部よりも前記アクセサリ本体の径方向内側寄りに位置に形成し、
前記係止用凸部によって前記円環状部分の切欠き内に形成される間隙内に、前記弾性部材のつまみ部を組付け保持させるように構成したことを特徴とするレンズ用アクセサリ。
【請求項２】
請求項１記載のレンズ用アクセサリにおいて、
前記アクセサリ本体と弾性部材との間に、組立状態において弾性部材のつまみ部の前記円環状部分の切欠き内での動きを規制する第２の凸部を設けたことを特徴とするレンズ用アクセサリ。
【請求項３】
請求項１記載のレンズ用アクセサリにおいて、
前記円環状部分の切欠きは、前記円環状部分の中央部を通る軸線を中心とする対称な位置に一対設けられていることを特徴とするレンズ用アクセサリ。
【請求項４】
請求項１乃至請求項３のいずれかの一項に記載のレンズ用アクセサリにおいて、
前記係止用凸部は、前記円環状部分の切欠き内の前記アクセサリ取付け部と反対側の側縁部との間に軸線方向の間隙を形成し、前記弾性部材のつまみ部が軸線方向の動きを規制された状態で、前記弾性部材が前記アクセサリ本体に組付け保持されていることを特徴とするレンズ用アクセサリ。
【発明の詳細な説明】
【０００１】
【発明の属する技術分野】
本発明は、たとえばスチルカメラ、ビデオカメラ、望遠鏡、双眼鏡等に用いるレンズ用アクセサリに関し、特にアクセサリ取付け部としてカメラのレンズ鏡筒の先端部に装着されるレンズキャップやレンズフードのようなレンズ用アクセサリに関する。
【０００２】
【従来の技術】
たとえばカメラにおいて、撮影レンズを保護するためにレンズ鏡筒の先端部に取付けるレンズ用アクセサリとして、レンズキャップを装着する場合が多い。このようなレンズキャップには従来から種々の構造のものが知られているが、そのなかで構造が簡単で着脱も迅速に行え、しかも脱落などの問題も少ないものとして、たとえば図６に示す構造が提案されている。
【０００３】
このレンズキャップ１は、図６に示すように、レンズ鏡筒（図示せず）の先端部を覆うことにより撮影レンズの表面を保護する蓋体となるレンズキャップ本体２を備えている。このレンズキャップ本体２は、略円環状を呈しレンズ鏡筒の先端部内周面に嵌込まれる環状部２ａとレンズ前面を覆う蓋部２ｂを有する。
前記環状部２ａの軸対称部分には一対をなす円環状部分の切欠き２ｃ，２ｃが形成され、これらの円環状部分の切欠き２ｃ，２ｃから外方に突出する方向への弾性力を有するつまみ部３，３を有する弾性部材４が、前記レンズキャップ本体２の環状部２ａの内周面に保持されている。
【０００４】
この弾性リング部材４は、つまみ部３，３に設けた弾性爪部３ａ，３ａを弾性リング部材４の弾性力に抗してレンズキャップ１の軸線（光軸）に直交する方向（図中矢印Ａ方向）に外方から押圧し、レンズ鏡筒の先端側のアクセサリ取付け部に環状部２ａを嵌め込んで押圧力を解除することにより、アクセサリ取付け部につまみ部３，３に設けた係合爪部３ａ，３ａが弾性によって軸線に直交する方向（図中矢印Ｂ方向）に付勢することにより、レンズキャップ１をレンズ鏡筒に対して固定できるように構成されている。
【０００５】
このようなレンズキャップ１の取外しは、上述したつまみ部３，３を外方から径方向内側（図中矢印Ａ方向）に押圧し、係合爪部３ａ，３ａを弾性を利用して軸線に直交する方向（図中矢印Ｂ方向）に移動させ、レンズ鏡筒への係止状態を解除することにより取外すことができるようになっている。
【０００６】
【発明が解決しようとする課題】
このような構造による従来のレンズキャップ１では、レンズキャップ本体２と弾性部材４とを一体的に組立てて離れないようにするため、レンズキャップ本体２における環状部２ａの内周面の一部にアンダカット部５ａ〜５ｄを形成している。そして、組立時において、弾性部材４を撓ませながら、その一部を前記アンダカット部５ａ〜５ｄへ嵌め込んで組立てるような構造が一般的である。
【０００７】
しかし、このようなレンズキャップ本体２や弾性部材４は通常合成樹脂材によるモールド成形で形成することが多く、上述したようにアンダカット部５ａ〜５ｄによる部分があると、その成形用金型の型割りが複雑となり、製造コストが嵩み、また量産性の面でも問題が多い。
また、上述したように弾性部材４を組立時に撓ませる必要があるため、組立てが煩雑であるという問題もある。
【０００８】
本発明はこのような事情に鑑みてなされたものであり、アクセサリ本体と弾性部材とからなるレンズ用アクセサリを形成するにあたって、従来成形上から問題であったアンダカット部分をなくし、成形性を向上させ、製造コストや量産性の面での不具合をなくし、また組立ても容易となるレンズ用アクセサリを得ることを目的としている。
【０００９】
【課題を解決するための手段】
このような目的に応えるために本発明に係るレンズ用アクセサリは、レンズ鏡筒のアクセサリ取付け部に取付けられる円環状部分を有しそのアクセサリ取付け部側の側縁部に切欠きが形成されているアクセサリ本体と、このアクセサリ本体の円環状部分の内側に組付け保持され、切欠きを介して外方に突出する方向に付勢されている一対のつまみ部を有しその一部に設けた係合爪部をアクセサリ取付け部に径方向内側から押付けることによりアクセサリ本体を固定する環状の弾性部材とを備えている。そして、前記切欠きの一部に少なくとも一つの係止用凸部を切欠き内に臨ませて突設し、この係止用凸部によって前記切欠き内に形成される間隙内に、前記弾性部材のつまみ部を組付け保持させるように構成したものである。
【００１０】
また、本発明に係るレンズ用アクセサリは、弾性部材のアクセサリ本体への組付け時に係止用凸部に係合して通過させるための切欠き溝を、弾性部材の一部に形成したものである。さらに、本発明に係るレンズ用アクセサリは、弾性部材のアクセサリ本体への組付け時に係止用凸部に係合して通過させるための切欠き溝を、弾性部材のアクセサリ本体への組立状態において係止用凸部とは係合しない位置に形成したものである。また、本発明に係るレンズ用アクセサリは、アクセサリ本体と弾性部材との間に、組立状態において弾性部材のつまみ部のアクセサリ本体の切欠き内での動きを規制する第２の凸部を設けたものである。
【００１１】
さらにまた、本発明に係るレンズ用アクセサリは、前記切欠きを、前記円環状部分の中央部を通る軸線を中心とする対称な位置に一対設けたものである。また、本発明に係るレンズ用アクセサリは、前記係止用凸部を、前記切欠きを形成する前記側壁面の前記アクセサリ取付け部側の側縁寄りの部分に設け、前記アクセサリ本体の切欠きの一部であって前記アクセサリ取付け部とは反対側の側縁部に型抜き用切欠き部を形成したものである。さらに、本発明に係るレンズ用アクセサリは、前記係止用凸部を、前記切欠き内の前記アクセサリ取付け部と反対側の側縁部との間に軸線方向の間隙を形成し、前記弾性部材のつまみ部が軸線方向の動きを規制された状態で、前記弾性部材を前記アクセサリ本体に組付け保持させたものである。
【００１２】
本発明によれば、アクセサリ本体において弾性部材を保持するための係止用凸部を形成するにあたって、アンダカット部分がないため、成形用金型の制作が簡単に行なえ、製造コストを低減することができる。
【００１３】
また、本発明によれば、アクセサリ本体に対しての弾性部材の組付けが係止用凸部への切欠き溝の嵌め込みという簡単な作業で行え、組付け時の作業性が向上し、しかも弾性部材を所要の動きを確保した状態でアクセサリ本体に組付け保持させることができる。
【００１４】
レンズ用アクセサリとは、たとえばレンズキャップやレンズフードをいうが、これに限らない。
レンズ用アクセサリを構成するアクセサリ本体や弾性部材は合成樹脂材により一体に形成され、所要の状態で組立てられるものであるが、これに限らない。
【００１５】
【発明の実施の形態】
図１ないし図３は本発明に係るレンズ用アクセサリをレンズキャップに適用した一つの実施の形態を示すものであり、これらの図において、前述した図６と同一または相当する部分には同一符号を付して詳細な説明は省略する。
【００１６】
図１（ａ），（ｂ）はレンズキャップ１を構成するレンズキャップ本体２を示し、このレンズキャップ本体２には、レンズ鏡筒の先端部内周面に嵌込まれる環状部２ａとレンズ前面を覆う蓋部２ｂとが形成され、前記環状部２ａの中央部を通る軸線（光軸）を中心とする軸対称位置には、後述する弾性部材４のつまみ部３，３を外方に突出させるための円環状部分の切欠き２ｃ，２ｃが形成されている。
なお、環状部２ａの外径寸法は、蓋部２ｂの外径よりも若干小径に形成されている。
【００１７】
前記蓋部２ｂを含む面上であって円環状部分の切欠き２ｃ，２ｃの両側部分には切欠き部２ｄ，２ｄが形成されている。そして、前記環状部２ａにおける切欠き２ｃ，２ｃの両側部分で環状部２ａの軸線方向の蓋部２ｂと所定間隔をおいた位置には、四箇所に係止用凸部１１が円環状部分の切欠き２ｃ，２ｃ内に臨むように突出して形成されている。
これら係止用凸部１１と前記蓋部２ｂとの間の間隙が、後述する弾性部材４のつまみ部３，３を軸線方向の両側から挾み込んで保持する間隙を形成するところである。
【００１８】
上述した形状を有するレンズキャップ本体２は、円環状部分の切欠き２ｃ，２ｃや切欠部２ｄ，２ｄにより係止用凸部１１を含め、軸線方向の両側からの一対をなす金型によって簡単に成形することができる。前記環状部２ａの軸線方向の蓋部２ｂと所定間隔をおいた位置に係止用凸部１１を設けても、蓋部２ｂを含む面上であって円環状部分の切欠き２ｃ，２ｃの両側部分には切欠き部２ｄ，２ｄが形成されているので、アンダーカット部分は形成されない。
【００１９】
図２（ａ），（ｂ）は全体が略円環形状を呈する弾性部材４を示すものであり、この弾性部材４の軸線を中心とする軸対称位置には、前記切欠き２ｃ，２ｃを解して環状部２ａの外側に突出させるつまみ部３，３が形成されている。
【００２０】
これらのつまみ部３，３の外方端には押圧部３ｂ，３ｂが形成され、またこの押圧部３ｂ，３ｂの軸線方向の一側には、これよりも内側（径方向内側寄りの部分）に、前記レンズ鏡筒の先端部内周面（アクセサリ取付け部）に噛合い係合する弾性爪部３ａ，３ａが形成されている。
なお、これらの弾性爪部３ａ，３ａは図示しないが凹凸形状で形成され、前記アクセサリ取付け部と噛合うようになっている。
【００２１】
前記弾性部材４は弾性力のある材料（たとえば合成樹脂材）で形成されている。前記つまみ部３，３の押圧部３ｂ，３ｂを外方から径方向内側に押圧することにより、前記噛合い形状の係合爪部３ａ，３ａとともに径方向内側に弾性変形可能に構成されており、このレンズキャップ１全体をアクセサリ取付け部に対して着脱可能となる。
【００２２】
このような弾性部材４において、つまみ部３，３の周方向の両側であって径方向内側寄りの部分には、前記レンズキャップ本体２に設けた係止用凸部１１に対応して切欠き溝１２が四箇所に形成されている。
これらの切欠き溝１２は、図３（ａ）に示すように、レンズキャップ１を組立てた状態では、係止用凸部１１よりも径方向内側寄りに位置するように形成されている。
【００２３】
図３は図１に示すレンズキャップ本体２と図２に示す弾性部材４とを組立てた状態を示すものであり、前記レンズキャップ本体２の四箇所の係止用凸部１１によって、弾性部材４の軸線方向への移動を規制している。
弾性部材４は、そのつまみ部３，３を前記レンズキャップ本体２側の蓋部２ａと係止用凸部１１との間の間隙に嵌込まれて組付け保持されている。このような組付け状態は、以下の手順で得ることができる。
【００２４】
すなわち、組立ての手順は図４（ａ），（ｂ）に示すように行う。図１および図２に示すように、前記弾性部材４には前記係止用凸部１１を通過させるための切欠き溝１２が形成されているが、これらの溝１２の位置は、図３に示すように、組立て時に前記係止用凸部１１よりも径方向内側寄りにある。
勿論、前記弾性部材４のつまみ部３，３の動きに支障がなければ任意の位置でよく、また必ずしも軸線（光軸）に平行である必要もない。
【００２５】
図４に示すように、始めに図中矢印ａにしたがい、片方のつまみ部３，３の切欠き溝１２に対応する係止用凸部１１を位置決めし、矢印Ｘ方向に前記弾性部材４を進める。前記弾性部材４のつまみ部３がレンズキャップ本体２側に対応して組付けられた後、反対側のつまみ部３にある切欠き溝１２に、前記係止用凸部１１を位置合わせする。このとき、切欠き溝１２は前記係止用凸部１１には若干位置ずれを生じているが、これは前記弾性部材４の弾性力を利用し、矢印Ｙ方向に伸ばし気味にして、矢印Ｚ方向に、先に入れた片方と同様の手順で組付けられるように進めればよい。
【００２６】
そして、上述した弾性部材４に加えていた引張り力を外すと、図３（ａ），（ｂ）に示すような組立て状態を得ることができる。このような組立て状態では、レンズキャップ本体２に対し弾性部材４を確実に組付け保持させることができる。また、弾性部材４のつまみ部３，３を押圧し、係合爪部３ａ，３ａをレンズ鏡筒のアクセサリ取付け部に噛合わせて係合させると、レンズキャップ１を所要の状態で装着することができる。これとは逆に操作すれば、取外しも簡単に行える。
【００２７】
図５は上述したように組付けたレンズキャップ１において、弾性部材４のレンズキャップ本体２に対しての図中矢印Ｐ方向への動きを制限したり、遊動（いわゆるがた付き）を抑えるための制限手段を設けた場合である。
すなわち、弾性部材４におけるつまみ部３，３が必要以上に動くと、切欠き溝１２に係止用凸部１１が対向して脱落を生じたり、弾性部材４が遊動したりする。
【００２８】
このため、図５（ａ），（ｂ）に示すように、弾性部材４のつまみ部３，３の蓋部２ｂに対向する面に凹部２１を設けるとともに、これに対応して蓋部２ｂ側に制限用の凸部２２を設けている。この凸部２２は、同図（ｂ）に示すように嵌め込み易く、しかも抜けだしができないようにテーパ面を有する形状で形成すればよい。
【００２９】
このようにすれば、弾性部材４をレンズキャップ本体２に組付けることにより、必要以上の動きを制限し、また遊動を抑えることができる。このような構造を採ると、前述した組立時に前記凸部２２が前記弾性部材４の一部に接することがあるが、一般に前記凸部２２の大きさを各部材の撓みで吸収できる程度の大きさにしておけば、つまみ部３，３は凸部２２を乗り越えることが可能となり特に問題はない。勿論、このような凸部２２の形状は、図示した形状には限定されず、組付け時に支障を生じない限り適宜の形状を採用することができる。
【００３０】
なお、本発明は上述した実施の形態で説明した構造には限定されず、各部の形状、構造等を適宜変形、変更し得ることはいうまでもない。
たとえばレンズ用アクセサリを構成するアクセサリ本体（レンズキャップ本体２）や弾性部材４を、合成樹脂材により一体に成形し、所要の状態で組立てた場合を説明したが、それぞれの材料や形状は適宜変更し得るものである。
【００３１】
また、上述した実施の形態では、つまみ部３を光軸に対して対称な位置に一対、すなわち二つ設けている。しかし、本発明はこれに限定されず、つまみ部３は一つであってもよい。このつまみ部３を一つとした場合、光軸に対してつまみ部３と対称な環状部２ａの外側の位置には、レンズ鏡筒の先端部内周面のアクセサリ取付け部と噛合するねじ構造を形成しておく必要がある。
【００３２】
さらに、上述した実施の形態では、本発明をスチルカメラのレンズ鏡筒の先端部のアクセサリ取付け部に着脱自在に装着することにより、撮影レンズを保護するレンズキャップ１に適用した場合を説明したが、これに限定されず、レンズ鏡筒６の先端部等のアクセサリ取付け用筒状部に装着され画質向上のために用いる各種のフィルタ、レンズフード、さらにはフィルタホルダなどに適用することができる。
【００３３】
すなわち、上述した実施の形態では、レンズキャップ１を例示しているが、レンズキャップ本体２のように円環状部分を有するアクセサリ本体とその内側に保持した弾性部材４とを備え、この弾性部材４から外方に突出したつまみ部３，３が径方向において弾性変形する構造であればよい。たとえばレンズ用アクセサリであるレンズフードに用いるためには、このアクセサリ構成部材によってレンズを通る光をけらないような構成とすればよく、適宜適用可能である。
【００３４】
【発明の効果】
以上説明したように本発明に係るレンズ用アクセサリによれば、アクセサリ本体にアンダカット部分がないため、成形用金型の制作が容易に行なえ、製造コストを低減することができる。
【００３５】
また、本発明によれば、アクセサリ本体に対しての弾性部材の組付けが係止用凸部への切欠き溝の嵌め込みという簡単な作業で行えるため、組付け時の作業性を向上させることができ、レンズ用アクセサリを安価にしかも簡単に提供することができる。
【図面の簡単な説明】
【図１】  本発明に係るレンズ用アクセサリをレンズキャップに適用した一つの実施の形態を示し、（ａ）はレンズキャップ本体の背面図、（ｂ）はそのＩ−Ｉ線断面図である。
【図２】  図１のレンズキャップ本体に組付けられる弾性部材を示し、（ａ）はその背面図、（ｂ）は側面図である。
【図３】  図１のレンズキャップ本体と図２の弾性部材とを組立てた状態を示し、（ａ）はその背面図、（ｂ）は側断面図、（ｃ）は要部となるつまみ部組込み部の側面図である。
【図４】  図３におけるレンズキャップの組立て状態を説明するための図であって、（ａ）は背面側から見た分解図、（ｂ）は側面側から見た分解図である。
【図５】  本発明の別の実施の形態を示し、（ａ）は背面図、（ｂ）は側面図である。
【図６】  従来のレンズ用アクセサリとしてのレンズキャップを説明するための背面図である。
【符号の説明】
１…レンズキャップ（レンズ用アクセサリ）、２…レンズキャップ本体、２ａ…環状部（円環状部分）、２ｂ…蓋部、２ｃ…切欠き、２ｄ…型抜き用切欠き部、３…つまみ部、３ａ…係合爪部、３ｂ…押圧部、４…弾性部材、４ａ…環状部、１１…係止用凸部、１２…切欠き溝、２１…凹部、２２…制限用凸部。
【図１】
0004092755.tif 000002
【図２】
0004092755.tif 000003
【図３】
0004092755.tif 000004
【図４】
0004092755.tif 000005
【図５】
0004092755.tif 000006
【図６】
0004092755.tif 000007